(57)【要約】【課題】  導体全体の特性インピーダンスがほぼ一定に保ち、導体を信号線として通信した場合に信号波形のリンギング等の低減、導体からの不要ノイズの低減により信頼性の高い通信を行う。【解決手段】  外筒部を有する外側ハウジングと、この外側ハウジングに回転自在に装着され、内筒部２ａを有する内側ハウジング２と、外筒部と内筒部２ａとの間に構成されたケーブル収容室３と、このケーブル収容室３内に巻回状態で収容され、外側ハウジングと内側ハウジング２との相対的回転により少なくとも一端側が正逆方向に回転移動されるフラット配索体９とを備えた回転コネクタであって、フラット配索体９を、長尺状の絶縁被覆体２１と、この絶縁被覆体２１内に配索された複数本の導体２２ａ〜２２ｄとで形成され、この内の導体２２ｃ，２２ｄを長尺方向Ｔに対して傾斜して配索した。【選択図】      図４
2005100708.tif 000002
【特許請求の範囲】
【請求項１】
長尺状の絶縁被覆体と、この絶縁被覆体内に配索された複数本の導体とで形成され、巻回状態で収容されたケーブル収容室内で少なくとも一端側が正逆方向に回転移動されるフラット配索体であって、
複数本の前記導体の１以上を長尺方向に対して傾斜して配索したことを特徴とするフラット配索体。
【請求項２】
請求項１記載のフラット配索体であって、
複数本の前記導体の内で、且つ、信号線として利用する導体を長尺方向に対して傾斜して配索したことを特徴とするフラット配索体。
【請求項３】
請求項１又は請求項２に記載のフラット配索体であって、巻回状態で同一円周上に配置されるフラット配索体間に、少なくとも巻回により重なる導体間に位置して絶縁体を配置したことを特徴とするフラット配索体。
【請求項４】
請求項３記載のフラット配索体であって、前記絶縁体が前記絶縁被覆体の一面側に貼着されていることを特徴とするフラット配索体。
【請求項５】
外筒部を有する外側ハウジングと、この外側ハウジングに回転自在に装着され、内筒部を有する内側ハウジングと、前記外筒部と前記内筒部との間に構成されたケーブル収容室と、このケーブル収容室内に巻回状態で収容され、前記外側ハウジングと前記内側ハウジングとの相対的回転により少なくとも一端側が正逆方向に回転移動されるフラット配索体とを備えた回転コネクタであって、
前記フラット配索体は、長尺状の絶縁被覆体と、この絶縁被覆体内に配索された複数本の導体とで形成され、この複数本の導体の１以上を長尺方向に対して傾斜して配索したことを特徴とする回転コネクタ。
【請求項６】
請求項５記載の回転コネクタであって、
複数本の前記導体の内で、且つ、信号線として利用する導体を長尺方向に対して傾斜して配索したことを特徴とする回転コネクタ。
【請求項７】
請求項５又は請求項６に記載の回転コネクタであって、
巻回状態で同一円周上に配置されるフラット配索体間に、少なくとも巻回により重なる導体間に位置して絶縁体を配置したことを特徴とする回転コネクタ。
【発明の詳細な説明】
【技術分野】
【０００１】
本発明は、ケーブル収容室に巻回状態で収容されるフラット配索体及びこれを用いた回転コネクタに関する。
【背景技術】
【０００２】
例えば、自動車のステアリング装置に組み込まれるエアーバッグシステムには発火電流を供給する必要があり、固定側である車体と回転側であるステアリング装置とを電気的に接続するのに回転コネクタが用いられる。このような電気的接続手段である従来の回転コネクタとしては、特開平１０−１１６６７２号公報（特許文献１）や特開平１１−２０９００５号（特許文献２）に開示されたものがある。
【０００３】
従来の回転コネクタを簡単に説明すると、外筒部を有する外側ハウジングと、この外側ハウジングに回転自在に装着され、内筒部を有する内側ハウジングと、外筒部と前記内筒部との間に形成された環状のケーブル収容室と、このケーブル収容室内に巻回状態で収容され、巻回状態の一端側が外筒部に、他端側が内筒部にそれぞれ固定されたフラット配索体とを備えている。外側ハウジングが車体側に、内側ハウジングがステアリング装置側にそれぞれ固定されている。
【０００４】
ステアリングが回転すると、外側ハウジングに対して内側ハウジングが回転し、この内側ハウジングの回転に追従してフラット配索体がケーブル収容室内を回転移動することによって電気的接続を保持するものである。
【０００５】
ところで、従来のフラット配索体５０は、図９（ａ）に示すように、長尺状の絶縁被覆体５１と、この絶縁被覆体５１内に配索された複数本の導体５２ａ〜５２ｄとで形成されている。複数の導体５２ａ〜５２ｄは、図９（ｂ）に示すように、互いに一定の間隔を置き、且つ、長尺方向Ｔに平行に配索されている。
【特許文献１】特開平１０−１１６６７２号公報
【特許文献２】特開平１１−２０９００５号公報
【発明の開示】
【発明が解決しようとする課題】
【０００６】
しかしながら、従来例のフラット配索体５０を用いた回転コネクタでは、フラット配索体５０がケーブル収容室内で巻回状態とされた場合、図８（ａ）に示すように、導体５２ａ〜５２ｄが同一円周上に配置されるため、隣接される導体５２ａ〜５２ｄ同士が重なり合う。その結果、図８（ｂ）に示すように、導体５２ａ〜５２ｄ間が近接されることによって静電結合が生じ、導体全体の特性インピーダンスが一定に保たれない状態となる。このような導体を信号線として通信した場合、信号波形にリンギングが発生したり、導体から不要放射ノイズが発生したりして、信頼性の高い通信ができないという問題がある。
【０００７】
そこで、本発明は、前記した課題を解決すべくなされたものであり、導体全体の特性インピーダンスがほぼ一定に保たれるフラット配索体及びこれを用いた回転コネクタを提供することを目的とする。
【課題を解決するための手段】
【０００８】
請求項１の発明は、長尺状の絶縁被覆体と、この絶縁被覆体内に配索された複数本の導体とで形成され、巻回状態で収容されたケーブル収容室内で少なくとも一端側が正逆方向に回転移動されるフラット配索体であって、複数の前記導体の１以上を長尺方向に対して傾斜して配索したことを特徴とするフラット配索体である。
【０００９】
このフラット配索体では、傾斜して配索した導体が巻回状態では螺旋状に配置されることから、隣接される導体同士がシフトした位置で重なり合い、導体間が近接されることによる静電結合が低減される。
【００１０】
請求項２の発明は、請求項１記載のフラット配索体であって、複数本の前記導体の内で、且つ、信号線として利用する導体を長尺方向に対して傾斜して配索したことを特徴とするフラット配索体である。
【００１１】
このフラット配索体では、請求項１の発明の作用に加え、導体全体の特性インピーダンスがほぼ一定に保たれ、信号波形にリンギング等が発生しにくく、導体からの不要放射ノイズが低減される。
【００１２】
請求項３の発明は、請求項１又は請求項２に記載のフラット配索体であって、巻回状態で同一円周上に配置されるフラット配索体間に、少なくとも巻回により重なる導体間に位置して絶縁体を配置したことを特徴とするフラット配索体である。
【００１３】
このフラット配索体では、請求項１及び請求項２の発明の作用に加え、絶縁体をフラット配索体間に配置したので、導体間の静電結合をより防止することができ、導体全体の特性インピーダンスがほぼ一定に保たれ、導体からの不要放射ノイズが低減される。
【００１４】
請求項４の発明は、請求項３記載のフラット配索体であって、前記絶縁体が前記絶縁被覆体の一面側に貼着されていることを特徴とするフラット配索体である。
【００１５】
このフラット配索体では、請求項３の発明の作用に加えて、絶縁被覆体の一面側に貼着されているのでフラット配索体を配索すれば、導体間の静電結合をより防止することができる。
【００１６】
請求項５の発明は、外筒部を有する外側ハウジングと、この外側ハウジングに回転自在に装着され、内筒部を有する内側ハウジングと、前記外筒部と前記内筒部との間に構成されたケーブル収容室と、このケーブル収容室内に巻回状態で収容され、前記外側ハウジングと前記内側ハウジングとの相対的回転により少なくとも一端側が正逆方向に回転移動されるフラット配索体とを備えた回転コネクタであって、前記フラット配索体は、長尺状の絶縁被覆体と、この絶縁被覆体内に配索された複数本の導体とで形成され、この複数の導体の１以上を長尺方向に対して傾斜して配索したことを特徴とする回転コネクタである。
【００１７】
この回転コネクタでは、傾斜した配索した導体が巻回状態では螺旋状に配置されることから、隣接される導体同士がシフトした位置で重なり合い、導体間が近接されることによる静電結合が低減される。
【００１８】
請求項６の発明は、請求項５記載の回転コネクタであって、複数本の前記導体の内で、且つ、信号線として利用する導体を長尺方向に対して傾斜して配索されたことを特徴とする回転コネクタである。
【００１９】
この回転コネクタでは、請求項３の発明の作用に加え、導体全体の特性インピーダンスがほぼ一定に保たれ、信号波形にリンギング等が発生しにくく、導体からの不要放射ノイズが低減される。
【００２０】
請求項７の発明は、請求項５又は請求項６に記載の回転コネクタであって、
巻回状態で同一円周上に配置されるフラット配索体間に、少なくとも巻回により重なる導体間に位置して絶縁体を配置したことを特徴とする回転コネクタである。
【００２１】
この回転コネクタでは、請求項５及び請求項６の発明の作用に加え、絶縁体をフラット配索体間に配置したので、導体間の静電結合をより防止することができ、導体全体の特性インピーダンスがほぼ一定に保たれ、導体からの不要放射ノイズが低減される。
【発明の効果】
【００２２】
以上説明したように、請求項１の発明によれば、フラット配索体が、傾斜して配索した導体が巻回状態では螺旋状に配置されることから、隣接される導体同士がシフトした位置で重なり合い、導体間が近接されることによる静電結合が低減されるため、導体全体の特性インピーダンスがほぼ一定に保たれる。以上より、導体を信号線として通信した場合に信号波形のリンギング等の低減、導体からの不要ノイズの低減等が図られ、信頼性の高い通信ができる。
【００２３】
請求項２の発明によれば、請求項１の発明の効果に加え、導体全体の特性インピーダンスがほぼ一定に保たれ、信号波形にリンギング等が発生しにくく、導体からの不要放射ノイズが低減されるため、信頼性の高い差動通信用の信号線として利用できる。又、信号線として利用する導体のみを長尺方向に対し傾斜して配置し、他の導体を長尺方向に沿って配置すれば、フラット配索体の幅を極力大きくすることなく導体全体の特性インピーダンスの安定化を図ることができる。
【００２４】
請求項３の発明によれば、請求項１及び請求項２の発明の作用に加え、絶縁体をフラット配索体間に配置したので、導体間の静電結合をより防止することができ、導体全体の特性インピーダンスがほぼ一定に保たれ、導体からの不要放射ノイズを低減することができる。
【００２５】
請求項４の発明によれば、請求項３の発明の作用に加えて、絶縁被覆体の一面側に貼着されているのでフラット配索体を配索すれば、導体間の静電結合をより防止することができる。
【００２６】
請求項５の発明によれば、外筒部を有する外側ハウジングと、この外側ハウジングに回転自在に装着され、内筒部を有する内側ハウジングと、外筒部と内筒部との間に構成されたケーブル収容室と、このケーブル収容室内に巻回状態で収容され、外側ハウジングと内側ハウジングとの相対的回転により少なくとも一端側が正逆方向に回転移動されるフラット配索体とを備えた回転コネクタであって、フラット配索体は、長尺状の絶縁被覆体と、この絶縁被覆体内に配索された複数本の導体とで形成され、この複数の導体の１以上を長尺方向に対して傾斜して配索したので、この回転コネクタでは、傾斜した配索した導体が巻回状態では螺旋状に配置されることから、隣接される導体同士がシフトした位置で重なり合い、導体間が近接されることによる静電結合が低減されるため、導体全体の特性インピーダンスがほぼ一定に保たれる。以上より、導体を信号線として通信した場合に信号波形のリンギング等の低減、導体からの不要ノイズの低減等が図られ、信頼性の高い通信ができる。
【００２７】
請求項６の発明によれば、請求項３記載の回転コネクタであって、複数本の導体の内で、且つ、信号線として利用する導体を長尺方向に対して傾斜して配索したので、この回転コネクタでは、請求項３の発明の効果に加え、導体全体の特性インピーダンスがほぼ一定に保たれ、信号波形にリンギング等が発生しにくく、導体からの不要放射ノイズが低減されるため、信頼性の高い差動通信用の信号線として利用できる。又、信号線として利用する導体のみを長尺方向に傾斜して配置し、他の導体を長尺方向に沿って配置すれば、フラット配索体の幅を極力大きくすることなく導体全体の特性インピーダンスの安定化を図ることができる。
【００２８】
請求項７の発明によれば、請求項５及び請求項６の発明の作用に加え、絶縁体をフラット配索体間に配置したので、導体間の静電結合をより防止することができ、導体全体の特性インピーダンスがほぼ一定に保たれ、導体からの不要放射ノイズを低減することができる。
【発明を実施するための最良の形態】
【００２９】
以下、本発明の一実施形態を図面に基づいて説明する。
【００３０】
図１〜図５は本発明の一実施形態を示し、図１は回転コネクタＡの中立位置における断面図、図２は回転コネクタＡの反時計方向最端位置における断面図、図３は回転コネクタＡの時計方向最端位置における断面図、図４（ａ）はフラット配索体９の巻回状態を示す概略斜視図、図４（ｂ）はフラット配索体９の展開図、図４（ｃ）はフラット配索体９の断面図、図５（ａ）はフラット配索体９の巻回状態における断面図、図５（ｂ）は隣接する導体２２ａ〜２２ｄ間の静電結合状態を示す図である。
【００３１】
図１〜図３に示すように、回転コネクタＡは、外筒部１ａを有する外側ハウジング１と内筒部２ａを有する内側ハウジング２とを有し、この双方のハウジング１，２が回転自在に装着されている。外筒部１ａと内筒部２ａとは同芯状に配置され、外筒部１ａと内筒部２ａとの間には環状のケーブル収納室３が構成されている。このケーブル収納室３内にはリング状の移動体４が回転自在に配置され、この移動体４はリング状の平板５と、この平板５に間隔を置いて立設された複数のローラ６とから構成されている。この移動体４によってケーブル収納室３内の外周側と内周側とには外周側ケーブル空間３ａと内周側ケーブル空間３ｂとがそれぞれ構成され、又、移動体４には外周側ケーブル空間３ａと内周側ケーブル空間３ｂとの間を連通するケーブル通路２０が１箇所に設けられている。
【００３２】
フラット配索体９は、図４（ａ）〜（ｃ）に詳しく示すように、長尺状の絶縁被覆体２１と、この絶縁被覆体２１内に配索された４本の導体２２ａ〜２２ｄとから形成されている。絶縁被覆体２１は、ＰＥＴ等の絶縁材からなるベース部２１ａと、同じくＰＥＴ等の絶縁材からなり、このベース部２１ａの一面に配置された４本の導体２２ａ〜２２ｄを覆う被覆部２１ｂとから構成されている。４本の導体２２ａ〜２２ｄは、互いに間隔を置いて配置され、その内の２本は電源供給用であり、他の２本は差動通信の信号用である。電源供給用の導体２２ａ，２２ｂは、長尺方向Ｔに平行に延設され、この２本の導体２２ａ，２２ｂ同士は互いに平行に配置されている。差動通信の信号用の導体２２ｃ，２２ｄは、長尺方向Ｔに対し傾斜して延設され、この２本の導体２２ｃ，２２ｄ同士は互いに平行に配置されている。
【００３３】
そして、フラット配索体９は、以下のようにしてケーブル収納室３に収納されている。つまり、フラット配索体９の一端は、ケーブル取出し部１１を介して外筒部１ａに固定されており、この各一端側は同一の巻回方向で外周側ケーブル空間３ａに巻回されている。外周側ケーブル空間３ａに巻回されたフラット配索体９は、ケーブル通路２０を通って内周側ケーブル空間３ｂに導かれると共にケーブル通路２０の位置でフラット配索体９の巻回方向が反転されている。この反転されたフラット配索体９は、外周側ケーブル空間３ａのときとは反対の巻回方向で内周側ケーブル空間３ｂに巻回され、フラット配索体９の他端はケーブル取出し部１２を介して内筒部２ａに固定されている。
【００３４】
そして、例えばこの回転コネクタＡが上記したエアーバッグシステムへの電流供給に適用される場合には、外側ハウジング１が車体側に、内側ハウジング２がステアリング装置側にそれぞれ固定され、且つ、外周部１ａのケーブル取出し部１１が車体側の電気回路に、内周側のケーブル取出し部１２がステアリング装置側の電気回路にそれぞれ接続される。
【００３５】
上記構成において、図１の中立位置にあって、内側ハウジング２が反時計方向に回転すると、内側ケーブル空間３ｂにとってはフラット配索体９の外側ケーブル空間３ａへの送り出し方向であるが、外側ケーブル空間３ａにとってはフラット配索体９の巻き取り方向であるため、内側ケーブル空間３ｂのフラット配索体９が外側ケーブル空間３ａ側に送り出され、この送り出されたフラット配索体９がケーブル通路２０の位置で反転しながら外側ケーブル空間３ａに巻回されると共に、フラット配索体９が外側ケーブル空間３ａに巻回されることでフラット配索体９の反転箇所９ａも反時計方向に移動するがこれに追従して移動体４も反時計方向に回転することによって上記内側ハウジング２の回転が許容される。そして、図２に示すように、回転コネクタの時計方向最端位置ではほとんどのフラット配索体９が外側ケーブル空間３ａに巻回される。
【００３６】
又、図１の中立位置にあって、内側ハウジング２が時計方向に回転すると、内側ケーブル空間３ｂにとってはフラット配索体９の巻き取り方向であるが、外側ケーブル空間３ａにとってはフラット配索体９の送り出し方向であるため、外側ケーブル空間３ａのフラット配索体９が内側ケーブル空間３ｂ側に送り出され、この送り出されたフラット配索体９がケーブル通路２０の位置で反転しながら内側ケーブル空間３ｂに巻回されると共に、フラット配索体９が外側ケーブル空間３ａから送り出されることでフラット配索体９の反転箇所９ａも時計方向に移動するがこれに追従して移動体４も時計方向に回転することによって上記内側ハウジング２の回転が許容される。そして、図３に示すように、回転コネクタの反時計方向最端位置ではほとんどのフラット配索体９が内側ケーブル空間３ｂに巻回される。
【００３７】
つまり、内側ハウジング２の回転方向によって、内側ケーブル空間３ｂのフラット配索体９と外側ケーブル空間３ａのフラット配索体９とのいずれか一方が巻き取り方向に、他方が送り出し方向になり、且つ、移動体４がフラット配索体９の反転箇所９ａを自由に可変することを許容しながら反転箇所９ａ以外ではフラット配索体９の径方向の移動を規制することによってフラット配索体９を収納しつつ内側ハウジング２のスムーズな回転がなされるものである。
【００３８】
上記動作過程にあって、フラット配索体９がケーブル収容室３内で巻回状態とされた場合、図５（ａ）に示すように、電源供給用の導体２２ａ，２２ｂが同一円周上に配置されるため、隣接される導体２２ａ，２２ｂ同士が重なり合う。その一方で、差動通信信号用の導体２２ｃ，２２ｄが螺旋状に配置されるため、隣接される導体２２ｃ、２２ｄ同士がシフトした位置で重なり合う。その結果、図５（ｂ）に示すように、導体２２ｃ、２２ｄ間が近接されることによる静電結合が低減されるため、導体全体の特性インピーダンスがほぼ一定に保たれる。以上より、信号線として通信に使用される導体２２ｃ、２２ｄには信号波形のリンギング等の低減、導体２２ｃ，２２ｄからの不要ノイズの低減等が図られ、信頼性の高い通信ができる。
【００３９】
次に、図６（ａ）、（ｂ）に示す他の実施形態について説明する。本実施形態では、絶縁被覆体２１のベース部２１ａに絶縁フィルム２３を貼着することによって、巻回状態で導体２２ａ〜２２ｄ間に絶縁フィルム２３を配置した例である。
【００４０】
本実施形態によれば、図６（ｂ）に示すように、導体２２ｃ、２２ｄが近接することによる静電結合をより低減することができ、導体全体のインピーダンス特性がをほぼ一定に保つことができる。また、信号線として通信に使用される導体２２ｃ、２２ｄからの不要ノイズの低減が図られ、信頼性の高い通信ができる。
【００４１】
上記実施形態では、信号線として利用する導体２２ｃ、２２ｄのみを長尺方向Ｔに対し傾斜して配置し、他の導体２２ａ，２２ｂを長尺方向Ｔに平行に配置したので、フラット配索体９の幅Ｗを極力大きくすることなく導体全体の特性インピーダンスの安定化を図ることができる。尚、全ての導体２２ａ〜２２ｄを長尺方向Ｔに対し傾斜して配置しても良いことはもちろんである。
【００４２】
次に図７、図８に示す他の実施形態について説明する。本実施形態では、図７（ａ）に示すように、絶縁被覆体２１のベース部側に、内側ハウジング２の内筒部２ａと略同等の高さの絶縁体２４を配置し、この絶縁体２４に対して、フラット配索体９全体を傾斜させ、この状態で内側ケーブル空間３ｂ内に巻回・収納させる例である。
【００４３】
この絶縁体２４は、図７（ｂ）に示すように、高さＨは、内側ハウジング２の内筒部２ａの高さに合わせて設定されている。そして、この絶縁体２４と共に、フラット配索体９を巻回させると、図８（ａ）、（ｂ）に示すようにフラット配索体９間に絶縁体２４が挟まることになり、導体２２ａ、２２ｂ、２２ｃが近接することによる静電結合をより低減することができ、導体全体のインピーダンス特性をほぼ一定に保つことができる。また、信号線として通信に使用されている導体からの不要ノイズの低減を図ることができ、信頼性の高い通信ができる。
【００４４】
さらに、この実施形態では、内筒部２ａの高さに絶縁体２４の高さＨを合わせることにより、上記した絶縁の効果と同時に、螺旋状に収納されたフラット配索体のガイドとなる。
【００４５】
なお、前記実施形態では、フラット配索体９には４本の導体２２ａ〜２２ｄが配索されているが、これより少なくても、又、多くても良いことはもちろんである。
【００４６】
また、前記実施形態によれば、外側ハウジング１が固定側で、内側ハウジング２が回転側である場合を示したが、外側ハウジング１が回転側で、内側ハウジング２が固定側であっても良く、更に、外側ハウジング１と内側ハウジング２の双方が互いに回転側であっても良い。
【００４７】
さらに、前記実施形態の回転コネクタＡは、ケーブル収容室３内にフラット配索体９を途中で逆向きに反転して収納したが、フラット収容室３内に移動体４を配置せずに、フラット配索体９を単に渦巻き状にして収納したものでも良いことはもちろんである。
【図面の簡単な説明】
【００４８】
【図１】本発明の一実施形態を示し、回転コネクタの中立位置における断面図である。
【図２】本発明の一実施形態を示し、回転コネクタの反時計方向最端位置における断面図である。
【図３】本発明の一実施形態を示し、回転コネクタの時計方向最端位置における断面図である。
【図４】本発明の一実施形態を示し、（ａ）はフラット配索体の巻回状態を示す概略斜視図、（ｂ）はフラット配索体の展開図、（ｃ）はフラット配索体の断面図である。
【図５】本発明の一実施形態を示し、（ａ）はフラット配索体の巻回状態における断面図、（ｂ）は隣接する導体間の静電結合状態を示す図である。
【図６】他の実施形態を示し、（ａ）はフラット配索体の巻回状態における断面図、（ｂ）は隣接する導体間の静電結合状態を示す図である。
【図７】他の実施形態を示し、（ａ）は絶縁体とフラット配索体との関係を示す正面図、（ｂ）はフラットケーブルを巻回させた斜視図である。
【図８】図７に示す他の実施形態を示し、（ａ）はフラット配索体を螺旋状に巻回させた状態を示す斜視図、（ｂ）はフラット配索体の巻回状態における断面図である。
【図９】従来例を示し、（ａ）はフラット配索体を螺旋状に巻き付けた状態を示す斜視図、（ｂ）はフラット配索体を展開した状態を示す正面図である。
【図１０】従来例を示し、（ａ）はフラット配索体の巻回状態における断面図、（ｂ）は隣接する導体間の静電結合状態を示す図である。
【符号の説明】
【００４９】
Ａ  回転コネクタ
１  外側ハンジング
１ａ  外筒部
２  内側ハウジング
２ａ  内筒部
３  ケーブル収納室
９  フラット配索体
２１  絶縁被覆体
２２ａ〜２２ｄ  導体
Ｔ  長尺方向
【図１】
2005100708.tif 000003
【図２】
2005100708.tif 000004
【図３】
2005100708.tif 000005
【図４】
2005100708.tif 000006
【図５】
2005100708.tif 000007
【図６】
2005100708.tif 000008
【図７】
2005100708.tif 000009
【図８】
2005100708.tif 000010
【図９】
2005100708.tif 000011
【図１０】
2005100708.tif 000012